(57)【要約】【課題】  脚部の下端にキャスター等の移動手段を取付けるとともに、該脚部で支持された座部の背後部に背凭れ部を設けた回転椅子等において、背凭れ部がクッション体やインナーシェル、アウターシェルで構成された複合構造を有するものでも該引手部を設けて移動させ易いようにした引手付き椅子を提供する。【解決手段】  背凭れ部３の背面側に位置する合成樹脂製のアウターシェ９ルに、引手部１１を一体成形若しくは分割成形にて形成し、引手部としてアウターシェルの一部に凹陥部１２を形成するとともに、凹陥部の中央部に横長の膨出部１３を形成し、膨出部の下面側に下方から指を掛ける凹部１４を形成し、更に膨出部の上面側を指が掛からない平面部１５とするとともに、平面部が膨出部の突出側へ向けて下方傾斜させた。【選択図】        図４
2006014900.tif 000002
【特許請求の範囲】
【請求項１】
脚部の下端にキャスター等の移動手段を取付けるとともに、該脚部で支持された座部の背後部に背凭れ部を設けた椅子であって、背凭れ部の背面側に位置する合成樹脂製のアウターシェルに、引手部を一体成形若しくは分割成形にて形成したことを特徴とする引手付き椅子。
【請求項２】
前記引手部として、前記アウターシェルの一部に凹陥部を形成するとともに、該凹陥部の中央部に横長の膨出部を形成し、該膨出部の下面側に下方から指を掛ける凹部を形成してなる請求項１記載の引手付き椅子。
【請求項３】
前記膨出部の上面側を指が掛からない平面部としてなる請求項２記載の引手付き椅子。
【請求項４】
前記膨出部の上面側を指が掛からない平面部とするとともに、該平面部が前記膨出部の突出側へ向けて下方傾斜してなる請求項２記載の引手付き椅子。
【発明の詳細な説明】
【技術分野】
【０００１】
本発明は、引手付き椅子に係わり、更に詳しくは椅子を移動させることが容易な引手付き椅子に関するものである。
【背景技術】
【０００２】
従来から、特許文献１の図１に記載されているように、学童用の木製椅子では背凭れ板の中央部をくり抜いて引手部を形成しているものは一般的である。しかし、キャスター付きの回転椅子では、背凭れ部には引手部を設けたものは皆無である。
【０００３】
通常、背凭れ部に引手部が無い場合には、該背凭れ部の上端を持って手前に引くことになるが、キャスターが床面をスムーズに転がらない場合や、床面に段差が有る等の障害物がある場合には、椅子が倒れることもある。つまり、背凭れ部の上端は、最も重心から離れた位置であり、またキャスターと床面の接触点から最も離れて回転モーメントが大きく作用する位置であり、本質的に最も倒れ易いのである。
【特許文献１】特許第２６２４９３３号公報（図１）
【発明の開示】
【発明が解決しようとする課題】
【０００４】
そこで、本発明が前述の状況に鑑み、解決しようとするところは、脚部の下端にキャスター等の移動手段を取付けるとともに、該脚部で支持された座部の背後部に背凭れ部を設けた回転椅子等において、背凭れ部がクッション体やインナーシェル、アウターシェルで構成された複合構造を有するものでも該引手部を設けて移動させ易いようにした引手付き椅子を提供する点にある。
【課題を解決するための手段】
【０００５】
本発明は、前述の課題解決のために、脚部の下端にキャスター等の移動手段を取付けるとともに、該脚部で支持された座部の背後部に背凭れ部を設けた椅子であって、背凭れ部の背面側に位置する合成樹脂製のアウターシェルに、引手部を一体成形若しくは分割成形にて形成してなる引手付き椅子を構成した（請求項１）。
【０００６】
ここで、前記引手部として、前記アウターシェルの一部に凹陥部を形成するとともに、該凹陥部の中央部に横長の膨出部を形成し、該膨出部の下面側に下方から指を掛ける凹部を形成してなることが好ましい（請求項２）。
【０００７】
また、前記膨出部の上面側を指が掛からない平面部としてなること（請求項３）が好ましく、更に前記膨出部の上面側を指が掛からない平面部とするとともに、該平面部が前記膨出部の突出側へ向けて下方傾斜してなるとより好ましい（請求項４）。
【発明の効果】
【０００８】
以上にしてなる請求項１に係る発明の引手付き椅子は、背凭れ部を構成する合成樹脂製のアウターシェルの成形とともに、背凭れ部の背面に引手部を設けることができ、該引手部を引くことによって容易に椅子を手前に移動させることができる。また、背凭れ部の上端よりも下方位置に引手部が設けられているので、より重心の低い位置を引くことになり、若しくは脚部の下端に対する回転モーメントが小さくなるので、不意に椅子が倒れることがなくなるのである。また、学童が使用する場合にも、引手部が低い位置にあるので、椅子を手前に引く作業がし易くなり、扱い易いものとなる。
【０００９】
請求項２によれば、引手部は、凹陥部の中に形成された膨出部に設けたので、アウターシェルから大きく突出することがなく、通常は邪魔にならず、また意匠性にも優れたものとなる。しかも、膨出部の下面側に下方から指を掛ける凹部を形成したので、更に低い位置で椅子を引くことができるので、より安定に椅子を移動させることができる。
【００１０】
請求項３によれば、前記膨出部の上面側を指が掛からない平面部としたことにより、間違いなく指を膨出部の下面側の凹部に掛けるように誘導することができ、予期しない使用形態を排除できる。
【００１１】
請求項４によれば、前記平面部を前記膨出部の突出側へ向けて下方傾斜させることにより、強制的に膨出部の上面側に指を掛けられなくすることができる。
【発明を実施するための最良の形態】
【００１２】
次に、添付図面に示した実施形態に基づき、本発明を更に詳細に説明する。図１は本発明に係る引手付き椅子の全体側面図、図２〜図６は第１実施形態の要部を示し、図中符号１は脚部、２は座部、３は背凭れ部、４は背凭れ支持杆をそれぞれ示している。
【００１３】
本発明に係る椅子は、前記脚部１の軸部５の上端に座部を回転可能且つ高さ調節可能に支持するとともに、該座部２の背後部に背凭れ部３を背凭れ支持杆４にて前後傾動可能に支持したものである。そして、前記脚部１の軸部５の下端から放射状に延びた支脚６，…の先端部下端にそれぞれキャスター７，…を設け、床面を転動して移動可能としたものである。ここで、本発明では、椅子の構造は前述のキャスター付きの回転椅子に限定されず、脚部１の下端にキャスター等の移動手段を取付けるとともに、該脚部１で支持された座部２の背後部に背凭れ部３を設けた椅子であれば広く適用できるものである。
【００１４】
本発明において、前記背凭れ部３は、図示しないインナーシェルの前面側にクッション体８を取付けるとともに、インナーシェルの背面側をアウターシェル９で外覆した構造のものである。前記インナーシェルとアウターシェル９は、合成樹脂製で成形されたものでり、ウレタン発泡体等で形成したクッション体８をインナーシェルの前面側に配して、それをクロス等の表皮シートで外覆して製造する。尚、前記背凭れ支持杆４の上端部はインナーシェルに強固に固定され、前記アウターシェル９の下部に設けた開口１０から引き出されている。ここで、前記背凭れ支持杆４は、中央部に１本には限らず、左右に１本ずつ設けることもある。
【００１５】
そして、前記背凭れ部３の背面側に位置する合成樹脂製のアウターシェル９に、引手部１１を一体成形若しくは分割成形にて形成するのである。本実施形態では、前記アウターシェル９の中央部やや上位に前記引手部１１を形成している。ここで、前記引手部１１を設ける位置は、前記背凭れ部３の左右中央部で、可能な限り下方にすることが安定性の観点から好ましいのである。前述の左右に１本ずつ背凭れ支持杆４，４を設ける場合は、両背凭れ支持杆４，４の間で、アウターシェル９の下部位置に前記引手部１１を設けることができる。
【００１６】
具体的には、図３〜図６に示すように、前記引手部１１として、前記アウターシェル９の一部に略半球面状の凹陥部１２を形成するとともに、該凹陥部１２の中央部に横長の膨出部１３を該アウターシェル９の輪郭から若干突出するように形成し、該膨出部１３の下面側に下方から指を掛ける凹部１４を形成している。更に、前記引手部１１は、前記膨出部１３の上面側を指が掛からない平面部１５とするとともに、該平面部１５が前記膨出部１３の突出側へ向けて下方傾斜していることが好ましい。
【００１７】
ここで、前記膨出部１３の下側の凹陥部１２は、指を差し入れる空間部となり、そして前記凹部１４を下方から掛けることができるようになっている。また、本実施形態では、前記膨出部１３の上側にも凹陥部１２が存在し、指を差し入れることが可能であるが、この膨出部１３の上側面を前記膨出部１３の突出側へ向けて下方傾斜している平面部１５としてことにより、指を掛けることができないよいうにしている。こうすることによって、より低い位置にある前記凹部１４に指を掛けるように誘導するのである。尚、この目的のためには、前記膨出部１３の上側に凹陥部１２を形成せずに、前記アウターシェル９の輪郭を延長した形状にしても良いのである。しかし、人間工学的には、前記膨出部１３の上面側の平面部１５に親指を当てて、前記凹部１４に掛けたその他の指とで当該膨出部１３を上下から挟んで使用できる本実施形態の方が優れている。
【００１８】
以上説明した第１実施形態では、前記アウターシェル９の成形と同時に、前記凹部１４を含めて引手部１の全体を一体成形したが、金型の抜き方向と該凹部１４の向きが交差するので、通常の二つ割の金型で成形することが不可能であり、そのため凹部１４を別の割金型で成形する必要があり、金型コストが上昇しコスト高となる。そこで、図７及び図８に示す第２実施形態では、前記アウターシェル９の大部分を通常の二つ割の金型で成形し、前記引手部１１の凹部１４に対応する部分を別部材として小型の金型で成形し、それらを組合わせて第１実施形態と同様な引手部１１を形成する。
【００１９】
この場合、前記アウターシェル９には、引手部１１として、前記同様な凹陥部１２と膨出部１３及び平面部１５を一体成形し、該膨出部１３とそれより下側の凹陥部１２の間は開放されている。そして、別部材として成形する指当て部材１６は、前記膨出部１３の内面側に内接可能な形状の本体部１７に下方へ開放した凹部１４を形成するとともに、本体部１７の両側端に取付部１８，１８を形成したものである。そして、前記指当て部材１６を前記アウターシェル９の前面側から前記膨出部１３の内面側に内接させるとともに、両取付部１８，１８を、アウターシェル９の前面側に形成した固定台１９，１９にネジ２０，２０で取付ける。この状態で、前記指当て部材１６の凹部１４は、前記膨出部１３の下側の凹陥部１２に面することになる。ここで、前記膨出部１３と平面部１５も前記指当て部材１６の一部として成形することも可能である。
【図面の簡単な説明】
【００２０】
【図１】本発明に係る引手付き椅子の全体側面図である。
【図２】第１実施形態の背凭れ部の側面図である。
【図３】同じく背凭れ部の背面図である。
【図４】図３のＡ−Ａ線省略断面図である。
【図５】図４のＢ−Ｂ線部分断面図である。
【図６】引手部の拡大縦断面図である。
【図７】第２実施形態の引手部の拡大縦断面図である。
【図８】同じく部分分解斜視図である。
【符号の説明】
【００２１】
１  脚部
２  座部
３  背凭れ部
４  背凭れ支持杆
５  軸部
６  支脚
７  キャスター
８  クッション体
９  アウターシェル
１０  開口
１１  引手部
１２  凹陥部
１３膨出部
１４  凹部
１５  平面部
１６  指当て部材
１７  本体部
１８  取付部
１９  固定台
２０  ネジ
【図１】
2006014900.tif 000003
【図２】
2006014900.tif 000004
【図３】
2006014900.tif 000005
【図４】
2006014900.tif 000006
【図５】
2006014900.tif 000007
【図６】
2006014900.tif 000008
【図７】
2006014900.tif 000009
【図８】
2006014900.tif 000010